(57)【要約】【課題】中トラックと外トラックのトラック本体が直接係止して位置決めすることがないため、使用寿命を延ばすことができる。【解決手段】中トラック２には係止部材５と解除部材６が設けられ、外トラック３には固定部材７が設けられ、固定部材７は活動片８の一端と嵌接し、活動片８と解除部材６とが当接し合って作動することができ、そして活動片８は弾性の作用を有して解除部材６を押圧することができ、中トラック２が係止部材５をもって起き上がった活動片８に当接した時、伸長の状態で暫く位置決めすることができ、そして内トラック１が再び縮合された時、内トラック１のトラック辺１１は中トラック２の解除部材６を押圧して活動片８に向かって移動するように下へ押圧することにより、活動片８は係止部材５から離脱し、中トラック２は外トラック３に縮合することができるように構成されている。【選択図】図１
0003125604.tif 000002
【実用新案登録請求の範囲】
【請求項１】
内トラック（１）、中トラック（２）および外トラック（３）により構成される三段式トラックであって、内トラック（１）は中トラック（２）に相対してスライドすることができるように、そして中トラック（２）は再び外トラック（３）に相対してスライドすることができるように形成され、中トラック（２）には係止部材（５）と解除部材（６）が設けられ、係止部材（５）の両側には止め片（５２）が設けられ、さらに中トラック（２）には止め片（５２）が伸出して載置するための幅広溝（２１）が設けられ、解除部材（６）は棒状片（６１）を有して中トラック（２）に固定され、解除部材（６）はアーチ型に設けられ、そして解除部材（６）には両側において折り曲げて延伸するように押し付け部（６２）が形成され、さらに解除部材（６）のアーチ型の内側に向かって折り曲げるように突出片（６３）が成型され、中トラック（２）には突出片（６３）が貫穿して伸出するための幅狭溝（２２）が設けられ、外トラック（３）には固定部材（７）が設けられ、固定部材（７）は活動片（８）と嵌接し、さらに外トラック（３）には活動片（８）を収容するための開口溝（３２）が設けられ、活動片（８）の両側には傾斜度を有する案内部（８２）が成型され、さらに外トラック（３）には弾性片座（９）が設けられ、活動片（８）に限度のある弾性の作動を行わせることにより、活動片（８）は解除部材（６）を押圧することができるように形成されることを特徴とする三段式トラックの位置決め装置。
【請求項２】
固定部材（７）の端部には溝孔（７１）が設けられ、そして開口溝（３２）の内側には受け部（３２１）が突出され、溝孔（７１）は活動片（８）の折り曲げ状の突出壁（８１）に嵌入し、そして受け部（３２１）は突出壁（８１）の下端に伸出して当接するように形成されることを特徴とする請求項１記載の三段式トラックの位置決め装置。
【請求項３】
弾性片座（９）には弾性棒（９１）が形成され、弾性棒（９１）は活動片（８）の連接脚（８３）に当接するように形成され、さらに弾性棒（９１）の端部にはＵ字型受け座（９１１）が形成されることにより、活動片（８）の連接脚（８３）が嵌入して当接することができることを特徴とする請求項１記載の三段式トラックの位置決め装置。
【請求項４】
弾性片座（９）の一方にはアーチ型片（９２）が設けられ、そして活動片（８）の連接脚（８３）はアーチ型片（９２）の下方を貫穿して弾性棒（９１）に当接するように形成されることを特徴とする請求項３記載の三段式トラックの位置決め装置。
【請求項５】
外トラック（３）の開口溝（３２）から延伸するように細長溝（３３）が形成され、開口溝（３２）と細長溝（３３）とが連接する部位にはアーチ型部（３４）が成型され、そして活動片（８）の連接脚（８３）はアーチ型部（３４）の下方を貫穿して弾性棒（９１）に当接するように形成されることを特徴とする請求項１記載の三段式トラックの位置決め装置。
【請求項６】
内トラック（１）、中トラック（２）および外トラック（３）により構成される三段式トラックであって、内トラック（１）は中トラック（２）に相対してスライドすることができるように、そして中トラック（２）は再び外トラック（３）に相対してスライドすることができるように形成され、中トラック（２）には係止部材（５）と解除部材（６）が設けられ、係止部材（５）の両側には止め片（５２）が設けられ、さらに中トラック（２）には止め片（５２）が伸出して載置するための幅広溝（２１）が設けられ、解除部材（６）は棒状片（６１）を有して中トラック（２）に固定され、解除部材（６）はアーチ型に設けられ、そして解除部材（６）には両側において折り曲げて延伸するように押し付け部（６２）が形成され、さらに解除部材（６）のアーチ型の内側に向かって折り曲げるように突出片（６３）が成型され、中トラック（２）には突出片（６３）が貫穿して伸出するための幅狭溝（２２）が設けられ、外トラック（３）には固定部材（７）が設けられ、固定部材（７）は活動片（８ａ）と嵌接し、さらに外トラック（３）には活動片（８ａ）を収容するための開口溝（３２）が設けられ、活動片（８ａ）の両側には傾斜度を有する案内部（８２）が成型され、さらに外トラック（３）には制限座（９ａ）が設けられ、制限座（９ａ）にはアーチ型片（９２）が形成され、そして活動片（８ａ）には弾性棒（８４ａ）が形成され、弾性棒（８４ａ）は制限座（９ａ）のアーチ型片（９２）の下方を貫穿して外トラック（３）の開口溝（３２）から延伸した細長溝（３３）の端縁の表面上に当接するように形成され、活動片（８ａ）に限度のある弾性の作動を行わせることにより、活動片（８ａ）は解除部材（６）を押圧することができるように形成されることを特徴とする三段式トラックの位置決め装置。
【請求項７】
内トラック（１）、中トラック（２）および外トラック（３）により構成される三段式トラックであって、内トラック（１）は中トラック（２）に相対してスライドすることができるように、そして中トラック（２）は再び外トラック（３）に相対してスライドすることができるように形成され、中トラック（２）には係止部材（５）と解除部材（６）が設けられ、係止部材（５）の両側には止め片（５２）が設けられ、さらに中トラック（２）には止め片（５２）が伸出して載置するための幅広溝（２１）が設けられ、解除部材（６）は棒状片（６１）を有して中トラック（２）に固定され、解除部材（６）はアーチ型に設けられ、そして解除部材（６）には両側において折り曲げて延伸するように押し付け部（６２）が形成され、さらに解除部材（６）のアーチ型の内側に向かって折り曲げるように突出片（６３）が成型され、中トラック（２）には突出片（６３）が貫穿して伸出するための幅狭溝（２２）が設けられ、外トラック（３）には固定部材（７）が設けられ、固定部材（７）は活動片（８ｂ）と嵌接し、さらに外トラック（３）には活動片（８ｂ）を収容するための開口溝（３２）が設けられ、活動片（８ｂ）の両側には傾斜度を有する案内部（８２）が成型され、さらに開口溝（３２）と細長溝（３３）とが連接する部位にはアーチ型部（３４）が成型され、そして活動片（８ｂ）には弾性棒（８４ｂ）が形成され、弾性棒（８４ｂ）はアーチ型部（３４）の下方を貫穿して尾端をもって細長溝（３３）の端縁のトラック面上に当接するように形成され、活動片（８ｂ）に限度のある弾性の作動を行わせることにより、活動片（８ｂ）は解除部材（６）を押圧することができるように形成されることを特徴とする三段式トラックの位置決め装置。
【請求項８】
細長溝（３３）の端縁のトラック面上には二個の突出体（３５、３５）が設けられ、弾性棒（８４ｂ）の尾端は二個の突出体（３５、３５）の間に載置して位置決めするように形成されることを特徴とする請求項７記載の三段式トラックの位置決め装置。
【考案の詳細な説明】
【技術分野】
【０００１】
本考案は三段式トラックの位置決め装置に関するもので、特に伸長状態において中トラックが外トラックに対して暫く位置決めし、さらに内トラックが押し込まれた時に中トラックと外トラックとの係止作用を自動的に解除できる位置決め装置に係わるものである。
【背景技術】
【０００２】
一般の引き出しまたは物を掛けるのに使用する伸縮トラックで、内、中と外トラックにより構成される三段式トラックについて言えば、もし内、中トラックが順序よく引っ張り出されるというスムース性を考慮すれば、さらに内トラックが引っ張り出されてから再び挿入するという組立の便利性を考慮すると、その各トラックには一般として適時に位置決めできる装置が設けられている。そして、三段式トラックにおいて中トラックと外トラックによる伸長の位置決めについて言えば、下記のような従来の技術がある（例えば、特許文献１〜２８を参照）。
【特許文献１】米国特許第３１３３７６８号明細書
【特許文献２】米国特許第３２５８２９９号明細書
【特許文献３】米国特許第３３７１９６８号明細書
【特許文献４】米国特許第３５８９７７８号明細書
【特許文献５】米国特許第３６５０５７８号明細書
【特許文献６】米国特許第４５６０２１２号明細書
【特許文献７】米国特許第４９９８８２８号明細書
【特許文献８】米国特許第５４１７４９０号明細書
【特許文献９】米国特許第５４８４１９７号明細書
【特許文献１０】米国特許第５５５１７７５号明細書
【特許文献１１】米国特許第５７５７１０９号明細書
【特許文献１２】米国特許第５８７１２６５号明細書
【特許文献１３】米国特許第６２９６３３８Ｂ１号明細書
【特許文献１４】米国特許第６３５０００１Ｂ１号明細書
【特許文献１５】米国特許第６３９０５７４Ｂ２号明細書
【特許文献１６】米国特許第６５８５３３５Ｂ２号明細書
【特許文献１７】米国特許第６６５５７６３Ｂ２号明細書
【特許文献１８】米国特許第６７０２４１２Ｂ２号明細書
【特許文献１９】米国特許第６７０５６８９Ｂ２号明細書
【特許文献２０】米国特許第６７４９２７６Ｂ２号明細書
【特許文献２１】米国特許第６８０５４１８Ｂ２号明細書
【特許文献２２】米国特許第６８９９４０８Ｂ２号明細書
【特許文献２３】米国特許出願公開第２００３／００５２５８０Ａ１号明細書
【特許文献２４】米国特許出願公開第２００３／０１１１９４２Ａ１号明細書
【特許文献２５】米国特許出願公開第２００４／０１７４１０３Ａ１号明細書
【特許文献２６】米国特許出願公開第２００４／０２３９２２０Ａ１号明細書
【特許文献２７】米国特許出願公開第２００５／０１１６５９４Ａ１号明細書
【特許文献２８】米国特許出願公開第２００５／０１８０６６７Ａ１号明細書
【考案の開示】
【考案が解決しようとする課題】
【０００３】
上記のような三段式トラックの位置決め装置においては、例えば米国特許第６８９９４０８Ｂ２号明細書と米国特許出願公開第２００５／０１８０６６７Ａ１号明細書のような位置決め構造の設計においては、トラック本体の突出部位を係止の構造としているが、トラック本体は全体的に硬化処理を行い難いため、上記係止用の突出部位はその硬度と強靭性を再び改善することができず、そのために上記突出部位が摩損したり削ったりすることにより、位置決めすることができなくなるという問題点があった。このように、上記のような従来の三段式トラックの位置決め装置をさらに改良しなければならない。
【０００４】
本考案はこのような問題点に鑑みて考案したものであって、その目的とするところは、中トラックには係止部材と解除部材が設けられ、外トラックには固定部材が設けられ、固定部材は活動片の一端と嵌接し、活動片と解除部材とが当接し合って作動することができ、そして活動片は弾性の作用を有して解除部材を押圧することができ、中トラックが係止部材をもって起き上がった活動片に当接した時、伸長の状態で暫く位置決めすることができ、そして内トラックが再び縮合された時、内トラックのトラック辺は中トラックの解除部材を押圧して活動片に向かって移動するように下へ押圧することにより、活動片は係止部材から離脱し、中トラックは外トラック３に縮合することができる三段式トラックの位置決め装置を提供しようとするものである。
【０００５】
本考案の第一の目的は、中トラックと外トラックのトラック本体が直接係止して位置決めすることがないため、使用寿命を延ばすことができる三段式トラックの位置決め装置を提供しようとするものである。
【０００６】
本考案の第二の目的は、係止による位置決めを提供する部材は適当な材料または加工を選択することにより、最良な強度の特性を獲得することができるため、位置決めの効果を増やすと共に、使用寿命を延ばすことができる三段式トラックの位置決め装置を提供しようとするものである。
【０００７】
本考案の第三の目的は、それぞれの部材はそれぞれの作用を有すると共に、それぞれの役割を果たすことができるため、仮に単一の部材が壊れても、取り換えが簡単になる三段式トラックの位置決め装置を提供しようとするものである。
【０００８】
本考案の第四の目的は、それぞれの部材は厚さの異なる材料を利用して製成することにより、その弾性は板の厚さで制御することができるため、復位の功能はさらに完璧になる三段式トラックの位置決め装置を提供しようとするものである。
【課題を解決するための手段】
【０００９】
上記目的を達成するために、本考案による三段式トラックの位置決め装置は、下記のようになるものである。すなわち、
内トラック、中トラックおよび外トラックにより構成される。内トラックは中トラックに相対してスライドすることができるように、そして中トラックは再び外トラックに相対してスライドすることができるように形成される。中トラックには係止部材と解除部材が設けられ、係止部材の両側には止め片が設けられ、さらに中トラックには止め片が伸出して載置するための幅広溝が設けられ、解除部材は棒状片を有して中トラックに固定され、解除部材はアーチ型に設けられ、そして解除部材には両側において折り曲げて延伸するように押し付け部が形成され、さらに解除部材のアーチ型の内側に向かって折り曲げるように突出片が成型され、中トラックには突出片が貫穿して伸出するための幅狭溝が設けられる。外トラックには固定部材が設けられ、固定部材は活動片と嵌接し、さらに外トラックには活動片を収容するための開口溝が設けられ、活動片の両側には傾斜度を有する案内部が成型され、さらに外トラックには弾性片座が設けられ、活動片に限度のある弾性の作動を行わせることにより、活動片は解除部材を押圧することができるように形成される。
【００１０】
本考案による三段式トラックの位置決め装置は、固定部材の端部には溝孔が設けられ、そして開口溝の内側には受け部が突出され、溝孔は活動片の折り曲げ状の突出壁に嵌入し、そして受け部は突出壁の下端に伸出して当接するように形成されることもできる。また、弾性片座には弾性棒が形成され、弾性棒は活動片の連接脚に当接するように形成され、さらに弾性棒の端部にはＵ字型受け座が形成されることにより、活動片の連接脚が嵌入して当接することもできる。また、弾性片座の一方にはアーチ型片が設けられ、そして活動片の連接脚はアーチ型片の下方を貫穿して弾性棒に当接するように形成されることもできる。また、外トラックの開口溝から延伸するように細長溝が形成され、開口溝と細長溝とが連接する部位にはアーチ型部が成型され、そして活動片の連接脚はアーチ型部の下方を貫穿して弾性棒に当接するように形成されることもできる。
【００１１】
また、本考案による三段式トラックの位置決め装置は、内トラック、中トラックおよび外トラックにより構成される。内トラックは中トラックに相対してスライドすることができるように、そして中トラックは再び外トラックに相対してスライドすることができるように形成される。中トラックには係止部材と解除部材が設けられ、係止部材の両側には止め片が設けられ、さらに中トラックには止め片が伸出して載置するための幅広溝が設けられ、解除部材は棒状片を有して中トラックに固定され、解除部材はアーチ型に設けられ、そして解除部材には両側において折り曲げて延伸するように押し付け部が形成され、さらに解除部材のアーチ型の内側に向かって折り曲げるように突出片が成型され、中トラックには突出片が貫穿して伸出するための幅狭溝が設けられる。外トラックには固定部材が設けられ、固定部材は活動片と嵌接し、さらに外トラックには活動片を収容するための開口溝が設けられ、活動片の両側には傾斜度を有する案内部が成型され、さらに外トラックには制限座が設けられ、制限座にはアーチ型片が形成され、そして活動片には弾性棒が形成され、弾性棒は制限座のアーチ型片の下方を貫穿して外トラックの開口溝から延伸した細長溝の端縁の表面上に当接するように形成され、活動片に限度のある弾性の作動を行わせることにより、活動片は解除部材を押圧することができるように形成される。
【００１２】
また、本考案による三段式トラックの位置決め装置は、内トラック、中トラックおよび外トラックにより構成される。内トラックは中トラックに相対してスライドすることができるように、そして中トラックは再び外トラックに相対してスライドすることができるように形成される。中トラックには係止部材と解除部材が設けられ、係止部材の両側には止め片が設けられ、さらに中トラックには止め片が伸出して載置するための幅広溝が設けられ、解除部材は棒状片を有して中トラックに固定され、解除部材はアーチ型に設けられ、そして解除部材には両側において折り曲げて延伸するように押し付け部が形成され、さらに解除部材のアーチ型の内側に向かって折り曲げるように突出片が成型され、中トラックには突出片が貫穿して伸出するための幅狭溝が設けられる。外トラックには固定部材が設けられ、固定部材は活動片と嵌接し、さらに外トラックには活動片を収容するための開口溝が設けられ、活動片の両側には傾斜度を有する案内部が成型され、さらに開口溝と細長溝とが連接する部位にはアーチ型部が成型され、そして活動片には弾性棒が形成され、弾性棒はアーチ型部の下方を貫穿して尾端をもって細長溝の端縁のトラック面上に当接するように形成され、活動片に限度のある弾性の作動を行わせることにより、活動片は解除部材を押圧することができるように形成される。
【００１３】
さらに、本考案による三段式トラックの位置決め装置は、細長溝の端縁のトラック面上には二個の突出体が設けられ、弾性棒の尾端は二個の突出体の間に載置して位置決めするように形成されることもできる。
【考案の効果】
【００１４】
本考案の三段式トラックの位置決め装置によれば、中トラックと外トラックのトラック本体が直接係止して位置決めすることがないため、使用寿命を延ばすことができるという利点がある。
【００１５】
本考案の三段式トラックの位置決め装置によれば、係止による位置決めを提供する部材は適当な材料または加工を選択することにより、最良な強度の特性を獲得することができるため、位置決めの効果を増やすと共に、使用寿命を延ばすことができるという利点がある。
【００１６】
本考案の三段式トラックの位置決め装置によれば、それぞれの部材はそれぞれの作用を有すると共に、それぞれの役割を果たすことができるため、仮に単一の部材が壊れても、取り換えが簡単になるという利点がある。
【００１７】
本考案の三段式トラックの位置決め装置によれば、それぞれの部材は厚さの異なる材料を利用して製成することにより、その弾性は板の厚さで制御することができるため、復位の功能はさらに完璧になるという利点がある。
【考案を実施するための最良の形態】
【００１８】
本考案の実施の形態について、以下、図面を参照して説明する。
【実施例１】
【００１９】
図１を参照すると、本考案の実施例１の三段式トラックの位置決め装置において、内トラック１、中トラック２および外トラック３による三段式トラックの模式が運用され、好ましくは内トラック１と中トラック２との間にはボールを有する軸受載置部材４ａが設けられ、そして中トラック２と外トラック３との間には二個のボール軸受４ｂが設けられる。
【００２０】
図１、２、３を参照すると、中トラック２には係止部材５と解除部材６が設けられ、係止部材５は中トラック２に固定され、そして係止部材５には下凹欠部５１が形成され、下凹欠部５１の両側には延伸するように止め片５２が設けられ、さらに中トラック２には下凹欠部５１と止め片５２が伸出して載置するための幅広溝２１が二個設けられる。解除部材６は棒状片６１を有して中トラック２に固定され、解除部材６はアーチ型に設けられ、そして解除部材６には両側において折り曲げて延伸するように押し付け部６２が形成され、さらに解除部材６のアーチ型の内側に向かって折り曲げるように突出片６３が成型される。また、中トラック２には突出片６３が貫穿して伸出するための幅狭溝２２が二個設けられる。
【００２１】
図４、５を参照すると、外トラック３には固定部材７が設けられ、固定部材７は活動片８と嵌接し、固定部材７の端部には溝孔７１が設けられ、活動片８の一端の折り曲げ状の突出壁８１に嵌入することができる。外トラック３には活動片８に対応してかつ活動片８を活動自在に収容するための開口溝３２が設けられ、開口溝３２の内側には受け部３２１が突出され、受け部３２１は活動片８の突出壁８１の下端に伸出して当接するように形成される。そして固定部材７の溝孔７１と受け部３２１が活動片８に相対して連接することにより、活動自在な関節が形成される。活動片８の両側には傾斜度を有する案内部８２が成型され、さらに活動片８には弾性の作用が形成されることにより、解除部材６を押圧することができる。
【００２２】
上記弾性の作用の達成について、再び図４、５を参照すると、外トラック３には弾性棒９１を有する弾性片座９が設けられ、弾性棒９１は活動片８の他端の連接脚８３に当接すするように形成され、さらに弾性棒９１の端部にはＵ字型受け座９１１が形成され、さらに弾性片座９の一方にはアーチ型片９２が設けられ、そして活動片８の連接脚８３はアーチ型片９２の下方を貫穿して再び弾性棒９１に当接するように形成される。また、外トラック３の開口溝３２から延伸するように細長溝３３が形成され、細長溝３３により連接脚８３と弾性棒９１との活動を提供することができる。
【００２３】
上述の設計により、内トラック１と中トラック２が外トラック３に相対して引っ張られた時、中トラック２が外トラック３から伸出して伸長の終点に達した後、図６に示すように、外トラック３の活動片８が弾性片座９の弾性棒９１の押圧を受けることにより、外トラック３のトラック面上から浮き上がることができ、そして中トラック２の係止部材５が活動片８を滑り過ぎた後、係止部材５の止め片５２は活動片８の両側の案内部８２の高い部位の端縁に係止されることにより、中トラック２は制限されて押し返せなくなるため、内へ縮合するのを防止すると同時に、活動片８の両側の案内部８２も中トラック２の解除部材６の突出片６３に当接されるため、内トラック１の押圧を受けない状態において解除部材６は押圧かつ起き上がりの状態に位置することができる。
【００２４】
そして、内トラック１が再び縮合して中トラック２に押し込まれた時、図７に示すように、縮合してスライドする内トラック１はトラック辺１１の端縁によって先ず斜めに起き上がった解除部材６の両側の押し付け部６２に当接し、それから図８に示すように、内トラック１が引き続き押し込まれると、解除部材６の突出片６３を連動して活動片８を下へ沈むように押圧することにより、活動片８の両側の案内部８２の高い部位の端縁は係止部材５の止め片５２から離脱するため、中トラック２と外トラック３との内縮防止の位置決め状態を解除することができる。それから、図９に示すように、再び引き続き押し込まれる内トラック１は中トラック２を一緒に連動して移動することができるため、最後に内トラック１と中トラック２を一緒に外トラック３の内に縮合する。
【実施例２】
【００２５】
図１０、１１を参照すると、本考案の実施例２の三段式トラックの位置決め装置において、外トラック３に設けられる位置決めの構造が掲示される。外トラック３において固定部材７で嵌入された活動片８ａには直接弾性棒８４ａが延伸するように形成され、さらに外トラック３には上述の弾性片座９と類似した弾性棒９１を有しない制限座９ａが設けられ、弾性棒８４ａは制限座９ａのアーチ型片９２の下方を貫穿して外トラック３の細長溝３３の端縁の表面上に当接するように形成される。
【実施例３】
【００２６】
図１２、１３を参照すると、本考案の実施例３の三段式トラックの位置決め装置において、外トラック３に設けられる位置決めの構造が掲示される。外トラック３の開口溝３２と細長溝３３とが連接する部位にはアーチ型部３４が成型され、そして外トラック３において固定部材７で嵌入された活動片８ｂにも弾性棒８４ｂが形成され、弾性棒８４ｂはアーチ型部３４の下方を貫穿し、そして弾性棒８４ｂの尾端は細長溝３３の端縁のトラック面上に当接するように形成され、さらに上記端縁のトラック面上には二個の突出体３５、３５が設けられるため、弾性棒８４ｂの尾端は二個の突出体３５、３５の間に載置して位置決めするように形成される。
【実施例４】
【００２７】
図１４、１５を参照すると、本考案の実施例４の三段式トラックの位置決め装置において、外トラック３の開口溝３２と細長溝３３とが連接する部位にはアーチ型部３４が成型され、そして開口溝３２の内側には受け部３２１が形成され、受け部３２１は活動片８の突出壁８１の下端に伸出して当接するように形成され、外トラック３において固定部材７は溝孔７１で相対的に活動片８の突出壁８１に嵌入し、さらに外トラック３の細長溝３３の部位において弾性片座９が設けられ、活動片８の連接脚８３はアーチ型部３４の下方を貫穿し、再び弾性片座９の弾性棒９１の端部のＵ字型受け座９１１に当接するように形成される。
【産業上の利用可能性】
【００２８】
上述の如く、図１に示す本考案の三段式トラックの位置決め装置によれば、中トラックと外トラックのトラック本体が直接係止して位置決めすることがないため、使用寿命を延ばすことができ、さらに係止による位置決めを提供する部材は適当な材料または加工を選択することにより、最良な強度の特性を獲得することができるため、位置決めの効果を増やすと共に、使用寿命を延ばすことができる。
【００２９】
本考案は、その精神及び必須の特徴事項から逸脱することなく他のやり方で実施することができる。従って、本明細書に記載した好ましい実施例は例示的なものであり、限定的なものではない。
【図面の簡単な説明】
【００３０】
【図１】本考案の実施例１の三段式トラックの位置決め装置による分解斜視図である。
【図２】本考案の実施例１の三段式トラックの位置決め装置による局部構造の分解斜視図である。
【図３】本考案の実施例１の三段式トラックの位置決め装置による局部構造の組み立てられた状態の斜視図である。
【図４】本考案の実施例１の三段式トラックの位置決め装置によるもう一つの局部構造の分解斜視図である。
【図５】本考案の実施例１の三段式トラックの位置決め装置によるもう一つの局部構造の組み立てられた状態の斜視図である。
【図６】本考案の実施例１の三段式トラックの位置決め装置による伸長状態の説明図である。
【図７】本考案の実施例１の三段式トラックの位置決め装置による縮合解除作動の説明図（一）である。
【図８】本考案の実施例１の三段式トラックの位置決め装置による縮合解除作動の説明図（二）である。
【図９】本本考案の実施例１の三段式トラックの位置決め装置による縮合解除作動の説明図（三）である。
【図１０】本考案の実施例２の三段式トラックの位置決め装置による局部構造の分解斜視図である。
【図１１】本考案の実施例２の三段式トラックの位置決め装置による局部構造の組み立てられた状態の斜視図である。
【図１２】本考案の実施例３の三段式トラックの位置決め装置による局部構造の分解斜視図である。
【図１３】本考案の実施例３の三段式トラックの位置決め装置による局部構造の組み立てられた状態の斜視図である。
【図１４】本考案の実施例４の三段式トラックの位置決め装置による局部構造の分解斜視図である。
【図１５】本考案の実施例４の三段式トラックの位置決め装置による局部構造の組み立てられた状態の斜視図である。
【符号の説明】
【００３１】
１    内トラック                      １１    トラック辺
２    中トラック                      ２１    幅広溝
２２    幅狭溝                            ３    外トラック
３２    開口溝                        ３２１    受け部
３３    細長溝                          ３４    アーチ型部
３５    突出体                          ４ａ    軸受載置部材
４ｂ    ボール軸受                        ５    係止部材
５１    下凹欠部                        ５２    止め片
６    解除部材                        ６１    棒状片
６２    押し付け部                      ６３    突出片
７    固定部材                        ７１    溝孔
８    活動片                          ８１    突出壁
８２    案内部                          ８３    連接脚
９    弾性片座                        ９１    弾性棒
９１１    Ｕ字型受け座                    ９２    アーチ型片
８ａ    活動片                        ８４ａ    弾性棒
９ａ    制限座                          ８ｂ    活動片
８４ｂ    弾性棒
【図１】
0003125604.tif 000003
【図２】
0003125604.tif 000004
【図３】
0003125604.tif 000005
【図４】
0003125604.tif 000006
【図５】
0003125604.tif 000007
【図６】
0003125604.tif 000008
【図７】
0003125604.tif 000009
【図８】
0003125604.tif 000010
【図９】
0003125604.tif 000011
【図１０】
0003125604.tif 000012
【図１１】
0003125604.tif 000013
【図１２】
0003125604.tif 000014
【図１３】
0003125604.tif 000015
【図１４】
0003125604.tif 000016
【図１５】
0003125604.tif 000017